(57)【要約】      （修正有）【課題】地盤中に構築される先行連続壁と後行連続壁との一体性を確保する上で、単純な構造でありながら、先行連続壁と後行連続壁間での高いせん断力伝達効果を得る継手構造を提供する。【解決手段】地盤中に先行して掘削された先行掘削溝８内に設置される鉄筋籠１Ａの後行掘削溝９側に仕切り板４を備え、前記仕切り板４の表面に交差する方向を向く張出部、もしくは張出部に連続する突出部に高さ方向に間隔を置いて複数個の孔６ａが形成された付加材６を仕切り板４の少なくとも片面に、高さ方向に連続的に、もしくは断続的に接合し、先行掘削溝８内と後行掘削溝９内の少なくともいずれか一方に打設されるコンクリート中に埋設する。【選択図】図１
2020097841.tif 000002
【特許請求の範囲】
【請求項１】
地盤中に先行して掘削された先行掘削溝内に、この先行掘削溝に隣接する後行掘削溝側に仕切り板を備えた鉄筋籠を設置し、前記先行掘削溝内にコンクリートを打設した後、前記後行掘削溝をその側に隣接する掘削溝の位置まで掘削し、前記後行掘削溝内に鉄筋籠を設置し、コンクリートを打設して前記先行掘削溝内に構築される先行連続壁と、前記後行掘削溝内に構築される後行連続壁を連続させる地中連続壁の継手構造であり、
前記仕切り板の表面に交差する方向を向く張出部を持ち、この張出部、もしくはこの張出部に連続する突出部に高さ方向に間隔を置いて複数個の孔が形成された付加材が、前記仕切り板の少なくとも片面に、高さ方向に連続的に、もしくは断続的に接合され、前記先行掘削溝内と前記後行掘削溝内の少なくともいずれか一方に打設されるコンクリート中に埋設されていることを特徴とする地中連続壁の継手構造。
【請求項２】
前記付加材は前記仕切り板の両面に接合されていることを特徴とする請求項１に記載の地中連続壁の継手構造。
【請求項３】
前記付加材の前記張出部に形成された孔内に貫通筋が挿通し、少なくとも前記先行掘削溝内に設置された前記鉄筋籠の、前記先行掘削溝内と前記後行掘削溝内の少なくともいずれか一方に配筋されていることを特徴とする請求項２に記載の地中連続壁の継手構造。
【請求項４】
前記仕切り板に、前記先行掘削溝内に配置されて前記コンクリートを補強する補強材が接続され、この補強材付近に前記付加材６が接合されていることを特徴とする請求項１、もしくは請求項２に記載の地中連続壁の継手構造。
【請求項５】
前記付加材は前記仕切り板の前記後行掘削溝側に接合されていることを特徴とする請求項１に記載の地中連続壁の継手構造。
【発明の詳細な説明】
【技術分野】
【０００１】
本発明は地盤中に構築される先行連続壁と後行連続壁との一体性を確保する地中連続壁の継手構造に関するものである。
【背景技術】
【０００２】
地盤中への掘削溝の形成と、掘削溝内への鉄筋籠の設置とコンクリートの打設の工程を経て構築される地中連続壁は、地中連続壁の連続する方向に区分された区間単位で掘削溝の形成からコンクリートの打設までの作業が行われる。この関係で、隣接する区間は先行区間と後行区間とに区分され、先行区間でのコンクリート打設までの作業の終了後に後行区間でのコンクリート打設までの作業が遂行される。先行区間は隣接する一区間を飛ばした区間であり、その飛ばした区間が後行区間になることもある。
【０００３】
先行区間と後行区間の境界面には先行区間のコンクリートのせき板となる仕切り板が配置されるが、先行区間のコンクリートと後行区間のコンクリートとの一体性（連続性）を確保するために、先行区間内に設置される鉄筋籠の横筋は仕切り板を貫通して後行区間内にも配筋される。先行区間の連続壁（先行連続壁）と後行区間の連続壁（後行連続壁）との一体性を図る上では、両連続壁は連続壁の面内方向に加え、面外方向のせん断力が伝達可能に接合される必要があるため、横筋が両連続壁間に跨るだけでは十分ではないこともある。
【０００４】
仕切り板を利用して先行連続壁と後行連続壁間で面内方向と面外方向のせん断力の伝達を図る方法には、仕切り板の両面にプレートを突設し、プレートに突起を形成する方法（特許文献１参照）、またはプレートを並列させ、対向するプレートに形成した開口間に棒鋼を架設する方法等がある（特許文献２参照）。この他、仕切り板の両面に多数の凹部を形成する方法（特許文献３参照）もある。
【先行技術文献】
【特許文献】
【０００５】
【特許文献１】特開昭５９−２１７８２９号公報（請求項１、公報第２頁上左欄第７行〜下左欄第１０行、第１図〜第４図）
【特許文献２】特開昭６１−３１５２２号公報（請求項１、公報第２頁上右欄第６行〜第３頁上左欄第１１行、第３図〜第６図）
【特許文献３】特許第２６３１６００号公報（請求項１、段落００１３〜００１７、図１、図２）
【発明の概要】
【発明が解決しようとする課題】
【０００６】
特許文献１の方法ではプレートへの突起の形成のために、多数の丸鋼等の鋼材をプレートに溶接する作業を要し、特許文献２の方法では開口を有するプレートの製作と開口間への棒鋼の架設の作業を要するため、いずれも仕切り板の製作に手間を要する。
【０００７】
特許文献３の方法では仕切り板の片面側から二方向に配列する凹部（凹み）を形成し、他方側の面に多数の凸部を形成することで、他方側の面にも隣接する凸部間に凹部を形成しているが、突起の、仕切り板表面からの突出量は小さいため、仕切り板両面の凹部によるせん断力の伝達効果は高くはない。
【０００８】
本発明は上記背景より、単純な構造でありながら、特許文献３よりせん断力伝達効果の高い地中連続壁の継手構造を提案するものである。
【課題を解決するための手段】
【０００９】
請求項１に記載の地中連続壁の継手構造は、地盤中に先行して掘削された先行掘削溝内に、この先行掘削溝に隣接する後行掘削溝側に仕切り板を備えた鉄筋籠を設置し、前記先行掘削溝内にコンクリートを打設した後、前記後行掘削溝をその側に隣接する掘削溝の位置まで掘削し、前記後行掘削溝内に鉄筋籠を設置し、コンクリートを打設して前記先行掘削溝内に構築される先行連続壁と、前記後行掘削溝内に構築される後行連続壁を連続させる地中連続壁の継手構造であり、
前記仕切り板の表面に交差する方向を向く張出部を持ち、この張出部、もしくはこの張出部に連続する突出部に高さ方向に間隔を置いて複数個の孔が形成された付加材が、前記仕切り板の少なくとも片面に、高さ方向に連続的に、もしくは断続的に接合され、前記先行掘削溝内と前記後行掘削溝内の少なくともいずれか一方に打設されるコンクリート中に埋設されていることを構成要件とする。
【００１０】
「後行掘削溝側に仕切り板を備えた鉄筋籠」とは、図２−（ａ）に示すように先行掘削溝８内に設置される鉄筋籠１Ａの後行掘削溝９寄りに仕切り板４が一体的に付属することを言い、鉄筋籠１Ａの設置状態（コンクリート打設前の状態）で仕切り板４が何らかの手段で鉄筋籠１Ａに接続されることを言う。例えば図１等に示すように鉄筋籠１Ａの横筋３が仕切り板４を貫通することにより仕切り板４が横筋３に支持されることの他、図６に示すように横筋３が仕切り板４を貫通しない場合に、縦筋２、もしくは横筋３等に結束線等を介して支持されること等を含む。縦筋２や横筋３に支持されることなく、鉄筋籠１Ａと後行掘削溝９内の鉄筋籠１Ｂの双方にスペーサ等を介して挟まれることにより、または仮設的に固定される鋼材等の補助材等に保持されるようなこともある。仕切り板４は先行掘削溝８内にコンクリートが打設されて構築される先行連続壁１０と、後行掘削溝９内にコンクリートが打設されて構築される後行連続壁１１の境界面になる。
【００１１】
「仕切り板の表面に交差する方向を向く張出部を持ち」とは、図１等に示すように付加材６が仕切り板４の表面に接合（固定）されたときに、張出部６１の中心線、または表面が仕切り板４の中心線、または表面に対して直交等、交差する方向を向くことを言う。また付加材６が板要素等としての張出部６１を持てばよく、付加材６自体の断面形状を問わないことを言う。付加材６が張出部６１のみからなる場合、付加材６はプレートやフラットバー等からＩ字断面形状に形成される。付加材６には主に鋼材が使用されるが、必ずしも鋼材の必要はない。
【００１２】
「張出部６１に連続する突出部６２」とは、板要素等としての突出部６２が、仕切り板４から見たときの張出部６１の先端側から連続し、張出部６１に直交等、交差する方向を向いて形成されていることを言う。詳しくは、付加材６が例えば仕切り板４への接合部分を除き、張出部６１と突出部６２からＬ字形状、もしくはＴ字形状等をすることを言う。複数個の孔６ａは張出部６１と突出部６２の少なくともいずれか一方に形成される。仕切り板４は先行掘削溝８内に打設されるコンクリートのせき板として打設圧力を負担するため、掘削溝の対向する溝壁間に跨る幅を持ち、基本的に鋼板から製作される。
【００１３】
付加材６に形成される複数個の孔６ａは、先行掘削溝８内と後行掘削溝９内の少なくともいずれか一方に打設されるコンクリートが孔６ａ内に入り込むことによるせん断抵抗力が発揮されるよう、少なくとも高さ方向（鉛直方向）に間隔を置いて配列する。「少なくとも高さ方向に」とは、図１１に示すように孔６ａが張出部６１、または突出部６２の幅方向にも複数、配列することもあることの意味である。コンクリートが孔６ａ内に入り込むことによるせん断抵抗力は隣接する先行連続壁１０と後行連続壁１１間の、主に面内方向と面外方向のせん断力に対して機能する。
【００１４】
付加材６の孔６ａ内にコンクリートが入り込むことで、張出部６１等の厚さ方向両面におけるコンクリートとの付着力に加え、孔６ａ内に存在する柱状のコンクリートの外周面と孔６ａの内周面との間に作用する支圧力と、孔６ａ内のコンクリートの軸方向両端面におけるせん断抵抗力が張出部６１等とコンクリートとの間に作用するせん断力に対する抵抗力として合算される。以下、この孔６ａ内に生じる抵抗力を「孔６ａ内の抵抗力」と言う。孔６ａは円形、多角形状等に形成され、形状は問われない。
【００１５】
付加材６の、高さ方向に間隔を置いて形成された複数個の孔６ａ内に生じる孔６ａ内の抵抗力は主に孔６ａ内に存在する柱状コンクリートの軸に直交する方向に作用するため、孔６ａが張出部６１に形成されれば、孔６ａ内の抵抗力は主に先行連続壁１０と後行連続壁１１間に生じる面内方向のせん断力に対して有効に機能する。図１１に示すように張出部６１に交差する方向を向く突出部６２に孔６ａが形成されれば、孔６ａ内の抵抗力は主に先行連続壁１０と後行連続壁１１間に生じる面外方向のせん断力に対して有効に機能する。面内方向のせん断力は先行連続壁１０と後行連続壁１１間にある仕切り板４に対し、鉛直方向（連続壁１０、１１全体では水平方向）に作用するせん断力であり、面外方向のせん断力は先行連続壁１０と後行連続壁１１間に、壁厚方向の水平方向に作用するせん断力である。
【００１６】
孔６ａ内の抵抗力が先行連続壁１０と後行連続壁１１間の、主に面内方向と面外方向のせん断力に対して効果を発揮することで、１本（１枚）の付加材６の仕切り板４への接合だけでも、付加材６が一体化した仕切り板４とコンクリートとの間での高いせん断力伝達効果が得られる。また付加材６に予め孔６ａを形成しておけば、付加材６の仕切り板４への溶接やボルト接合等による接合のみで、付加材６付き仕切り板４を製作することができるため、仕切り板４の製作が単純化される。「主にせん断力に対して」とは、鉛直方向と水平方向の曲げモーメントに対しても効果を発揮し得ることの意味である。
【００１７】
請求項１における「（付加材が）連続的に接合される」とは、付加材６の単体が軸方向に一定区間、連続した長さを有している場合と、単体が軸方向に連続した長さを持たないものの、複数個の付加材６が軸方向に互いに突き合わせられて仕切り板４に接合される場合があることを言う。「断続的に接合される」とは、軸方向に隣接する付加材６、６間に間隔が確保されながら、仕切り板４に接合されることを言う。連続的の場合も断続的の場合も、付加材６はスタッドボルトのような棒材とは異なり、軸方向に一定以上の長さを持つことで、仕切り板４に接合されたときに、前記したせん断力に対する抵抗力発揮の他、仕切り板４に曲げ剛性を付与する機能も発揮し、仕切り板４がコンクリートから受ける打設圧力による曲げ変形を阻止する働きをする。
【００１８】
付加材６が仕切り板４の両面に接合されている場合には（請求項２）、孔６ａ内の抵抗力は、仕切り板４を挟んで偶力を形成するため、先行連続壁１０と後行連続壁１１間に作用する水平方向と鉛直方向の曲げモーメントに対しても抵抗力となる。なお、付加材６、６が仕切り板４の両面に接合される場合、両付加材６、６は図１等に実線で示すように仕切り板４の面内方向の中心線に関して対称位置に配置される必要は必ずしもなく、図１に鎖線で示すように仕切り板４の中心線方向に互い違いにずれて配置されることもある。
【００１９】
付加材６、６が仕切り板４の両面に接合される場合、孔６ａが張出部６１に形成されれば、孔６ａ内の抵抗力による偶力は主に鉛直方向（仕切り板４の中心線を含む水平軸回り）の曲げモーメントに対しても抵抗力となる。孔６ａが突出部６２に形成されれば、孔６ａ内の抵抗力による偶力は主に水平方向（鉛直軸回り）の曲げモーメントに対しても抵抗力となる。特に孔６ａが突出部６２に、または突出部６２にも形成された場合には、孔６ａが張出部６１に形成される場合より、突出部６２の孔６ａ内の抵抗力の発生位置までの、仕切り板４の表面からの距離が大きくなるため、水平方向の曲げモーメントに対する抵抗力が増大する。
【００２０】
付加材６が仕切り板４の両面に接合されている場合には（請求項２）、図３に示すように各付加材６の張出部６１に形成された孔６ａ内に貫通筋７を挿通させることもできる（請求項３）。図１〜図５では横筋３が仕切り板４を厚さ方向に貫通している場合の例を示しているが、図６に示すように横筋３は先行掘削溝８内と後行掘削溝９内単位で配筋されることもある。その場合、先行連続壁１０と後行連続壁１１の接合状態は主に仕切り板４とその両面に接合された付加材６、６が発揮する抵抗力が維持することになる。
【００２１】
付加材６に貫通筋７を挿通させる場合、貫通筋７は少なくとも先行掘削溝８内に設置された鉄筋籠１Ａの、先行掘削溝８内と後行掘削溝９内の少なくともいずれか一方に配筋される（請求項３）。この場合、孔６ａ内の抵抗力が発揮されるときに貫通筋７が曲げモーメントを負担しながら抵抗力を発揮するため、面内方向のせん断力と曲げモーメントに対する抵抗力が増す。貫通筋７は鉄筋籠１Ａの横筋３、３間に跨る必要はないが、例えば貫通筋７の両端部が横筋３、３に係止し得る状態にあれば、貫通筋７が負担する曲げモーメントは鉄筋籠１Ａの横筋３、３に伝達されるため、先行連続壁１０と後行連続壁１１の全体で曲げモーメントを負担する状態になる。
【００２２】
付加材６の張出部６１に形成された孔６ａ内に貫通筋７を挿通させることは、必ずしも付加材６が仕切り板４の両面に接合されている場合（請求項２）には限られない。但し、付加材６が仕切り板４の両面側に接合されている場合には、貫通筋７が発揮する抵抗力が仕切り板４を挟んだ両側で発生することで、この抵抗力が仕切り板４の両側で均衡するように作用する、または偶力を形成することができる意味がある。
【００２３】
仕切り板４の先行連続壁１０側には、図４に示すように先行連続壁１０を構成するコンクリートを打設するときの打設圧力に抵抗させるための引張材（タイロッド）５が接続されることがある（請求項４）。また図５に示すように鉄筋籠１Ａの内、横筋３は先行連続壁１０と後行連続壁１１間に作用する引張力を負担しながら、付着力を介してコンクリートに伝達する働きをするため、仕切り板４を貫通して先行連続壁１０と後行連続壁１１とに跨って配筋されることで、コンクリート内に作用する引張力に対してコンクリートを補強する意味で補強材と言える。
【００２４】
これらの場合、補強材（引張材）の仕切り板４への接続位置付近、または補強材（横筋３）の仕切り板４への貫通位置付近に補強材の引張力が集中し易いため、仕切り板４の、補強材付近に付加材６が接合されていれば（請求項４）、前記した付加材６による仕切り板４の曲げ変形阻止の効果が有効に発揮され易くなる。補強材は引張材５と横筋３を含むが、これら以外の引張力抵抗材も含む。補強材は先行掘削溝８内に配置される。
【００２５】
図９に示すように付加材６が仕切り板４の後行掘削溝９側に接合された場合には（請求項５）、付加材６に、仕切り板４を貫通して後行掘削溝９側へ突出している横筋３を後行連続壁１１のコンクリート打設前に洗浄するための洗浄装置の昇降を案内するためのガイドとしての役目を持たせることができる。この場合、付加材６が洗浄装置を設置するためのガイドを兼ねるため、洗浄装置用のガイドを別途、仕切り板４に接合する必要がなくなる。
【発明の効果】
【００２６】
仕切り板の表面に交差する方向を向く張出部、もしくは張出部に連続する突出部に高さ方向に間隔を置いて複数個の孔を形成した付加材を仕切り板の少なくとも片面に接合することで、先行連続壁と後行連続壁間のせん断力と曲げモーメントに抵抗させるため、付加材付き仕切り板の製作を単純化させながら、複数個の孔内の抵抗力を効果的に発揮させることができる。
【図面の簡単な説明】
【００２７】
【図１】（ａ）は先行掘削溝内に先行連続壁用の仕切り板付きの鉄筋籠を設置した様子を示した平面図（水平断面図）であり、仕切り板の各片面に１枚の付加材を接合した場合、（ｂ）は鉄筋籠の配置状態を示した（ａ）の立面図、（ｃ）は（ａ）のｘ−ｘ線矢視図である。
【図２】（ａ）は先行掘削溝内に先行連続壁用の仕切り板付きの鉄筋籠を、後行掘削溝内に後行連続壁用の鉄筋籠を設置した様子を示し、仕切り板の各片面に２枚の付加材を並列させて接合した場合の例を示した平面図、（ｂ）は鉄筋籠を示した（ａ）の立面図、（ｃ）は（ａ）のｘ−ｘ線矢視図、（ｄ）は（ａ）のｙ−ｙ線矢視図である。
【図３】（ａ）は付加材の孔内に貫通筋を挿通させた場合の例を示した平面図、（ｂ）は（ａ）の立面図、（ｃ）は（ａ）のｘ−ｘ線矢視図である。
【図４】先行連続壁のコンクリートを補強する補強材としての引張材を付加材に保持させた場合の例を示した平面図である。
【図５】先行連続壁内の鉄筋籠を構成する横筋を付加材に保持させた場合の例を示した平面図である。
【図６】（ａ）は先行掘削溝内の鉄筋籠の横筋が仕切り板を貫通せず、先行掘削溝内の鉄筋籠と後行掘削溝内の鉄筋籠が分離している場合の例を示した平面図であり、（ｂ）のｘ−ｘ線断面図、（ｂ）は（ａ）の立面図、（ｃ）は（ａ）のｙ−ｙ線断面図、（ｄ）は（ａ）のｚ−ｚ線断面図である。
【図７】（ａ）は張出部のみからなる鋼板（プレート）である付加材が仕切り板に接合された様子を示した平面図、（ｂ）は（ａ）の立面図である。
【図８】（ａ）は張出部と仕切り板への接合部分としての基部を有するＬ形断面形状の付加材が仕切り板に接合された様子を示した平面図、（ｂ）は（ａ）の立面図である。
【図９】先行掘削溝内の鉄筋籠の、後行掘削溝側へ突出している横筋を洗浄するための洗浄装置の昇降を案内するガイドの役目を付加材に持たせた場合の例を示した平面図である。
【図１０】（ａ）は張出部と突出部を有するＨ形断面形状をし、張出部に孔が形成された付加材が仕切り板に接合された様子を示した平面図、（ｂ）は（ａ）の立面図である。
【図１１】（ａ）は張出部と突出部を有するＨ形断面形状をし、突出部に孔が形成された付加材が仕切り板に接合された様子を示した平面図、（ｂ）は（ａ）の立面図、（ｃ）は（ａ）のｘ−ｘ線側面図である。
【図１２】図１に示す付加材がない場合と付加材がある場合の、仕切り板を挟んだ両側のコンクリート（連続壁）のずれ変位と、仕切り板両面に作用するせん断応力度の関係を示したグラフである。
【発明を実施するための形態】
【００２８】
図１−（ａ）〜（ｃ）は地盤中に先行して掘削された先行掘削溝８内に、先行掘削溝８に隣接する後行掘削溝９側に仕切り板４を備えた鉄筋籠１Ａを設置し、先行掘削溝８内にコンクリートを打設した後、後行掘削溝９内に鉄筋籠１Ｂを設置し、コンクリートを打設して先行掘削溝８内に構築される先行連続壁１０と、後行掘削溝９内に構築される後行連続壁１１を連続させる地中連続壁の継手構造の例を示す。掘削溝（先行掘削溝８と後行掘削溝９）は例えばバケット式掘削機、水平多軸式掘削機等により形成されるが、形成方法は問われない。
【００２９】
仕切り板４の少なくとも片面には、仕切り板４の表面に直交等、交差する方向を向く張出部６１を持ち、張出部６１、もしくは張出部６１に連続して形成される突出部６２に高さ方向に間隔を置いて複数個の孔６ａが形成された例えば鋼製の付加材６が高さ方向に連続的に、もしくは断続的に接合（固定）されている。付加材６は仕切り板４付きの鉄筋籠１Ａの現場への搬入前に予め接合されている場合と、現場で接合される場合があるが、原則的には予め接合される。図１〜図３では付加材６が張出部６１のみからなる平板状である場合の例を示しているが、付加材６が張出部６１と突出部６２を有する場合には付加材６は任意の断面形状に形成される。
【００３０】
鉄筋籠１Ａ、１Ｂは基本的に縦筋２と横筋３を格子状に組み合わせて組み立てられた面状の２枚の鉄筋ユニットを互いに対向させた状態で、図２−（ａ）に示すように仕切り板４を貫通する横筋３の部分において仕切り板４に両鉄筋ユニットを保持させることにより構成される。横筋３の仕切り板４側の端部は仕切り板４を貫通し、後行掘削溝９内に打設されるコンクリートとの間での引張力の伝達のために後行掘削溝９側へ張り出す。この横筋３の後行掘削溝９側へ張り出した部分には縦筋２も接続されている。
【００３１】
後行掘削溝９内に設置される鉄筋籠１Ｂの先行掘削溝８寄りの並列する横筋３、３間距離は、図２−（ａ）に示すように先行掘削溝８内に設置される鉄筋籠１Ａの、仕切り板４から張り出した横筋３との、コンクリートとの付着力を介しての重ね継手のために、先行掘削溝８内の鉄筋籠１Ａの並列する横筋３、３間距離より小さくなっている。
【００３２】
図１は付加材６が平板状の断面形状をする場合に、付加材６を仕切り板４の両面に接合した場合の鉄筋籠１Ａの製作例を示している。ここでは付加材６が張出部６１のみからなる場合に、仕切り板４の幅方向中心付近に、仕切り板４の片面に付き、１枚の付加材６を接合している。図１以下では付加材６が高さ方向に連続している場合の例を示している。
【００３３】
高さ方向に隣接する孔６ａ、６ａ間には孔６ａ内に入り込む柱状のコンクリートが軸に直交する方向のせん断力を負担することの結果として孔６ａ周辺に変形を生じさせない程度の距離が確保される。孔６ａの形状は図１−（ｂ）に示すように主に円形であるが、必ずしも円形には限られない。図１〜図３では各図の（ｂ）に示すように孔６ａが張出部６１の幅方向に１列、配列した場合の例を示しているが、張出部６１の幅、または孔６ａの大きさに応じ、張出部６１の幅方向、または突出部６２の幅方向に複数列、配列することもある他、千鳥状に配列することもある。
【００３４】
仕切り板４を挟んだ両側の連続壁１０、１１（コンクリート）間に面内方向の（鉛直）せん断力が作用したときに、両連続壁１０、１１間に生じたずれ変位と、仕切り板４両面に作用するせん断応力度の関係を図１２に示す。破線は仕切り板４を横筋３が貫通するだけの場合の履歴を、実線は図１に示すように仕切り板４の両面に付加材６、６が接合された場合の履歴を示す。図１２から、仕切り板４に付加材６、６が接合された場合には仕切り板４を横筋３が貫通するだけの場合との対比すると、仕切り板４の両面間に等しいせん断力応力度が作用したときの、ずれ変位が数分の１程度になっていることが分かる。
【００３５】
図２は仕切り板４の片面に付き、２枚以上の図１に示す形状の付加材６、６を仕切り板４（先行掘削溝８）の幅方向に並列させて両面に接合した場合の例を示す。前記のように後行掘削溝９内では鉄筋籠１Ｂの、仕切り板４寄りの横筋３、３間距離が鉄筋籠１Ａの横筋３、３間距離より小さいため、付加材６は後行掘削溝９内で鉄筋籠１Ｂの横筋３と接触しない位置に配置される。特に後行掘削溝９の立面上、図２−（ａ）に示すように後行掘削溝９内の付加材６が、鉄筋籠１Ｂの横筋３と付加材６が重なるような幅を持つ場合、または横筋３が付加材６が重なるような長さを持つ場合には、付加材６と横筋３との間でコンクリートの付着力を介して横筋３の軸方向の引張力が伝達される状態になる。
【００３６】
図３は付加材６の張出部６１に形成された孔６ａ内に貫通筋７を挿通させた場合の例を示す。図３では貫通筋７を少なくとも鉄筋籠１Ａの、先行掘削溝８内と後行掘削溝９内の少なくともいずれか一方の幅方向に対向する横筋３、３間に跨るように配筋しているが、貫通筋７の軸方向両端部は平面上、横筋３、３に交わらないこともある。図３−（ｃ）に示すように貫通筋７の両端部が横筋３、３に鉛直方向に係止し得る状態で配筋された場合には、貫通筋７が負担する曲げモーメントは鉄筋籠１Ａの横筋３、３に伝達される。付加材６が仕切り板４の両面に接合された場合には、先行連続壁１０内に生じた曲げモーメントが後行連続壁１１に伝達され、後行連続壁１１内に生じた曲げモーメントが先行連続壁１０に伝達される状態になる。
【００３７】
図４は先行掘削溝８内に配置され、掘削溝８、９内に打設されるコンクリートを補強する補強材としての引張材５が仕切り板４に接続される場合に、この引張材５から仕切り板４に作用する引張力による仕切り板４の曲げ変形を抑制するように仕切り板４に付加材６を接合した場合の例を示す。付加材６は張出部６１が仕切り板４の表面に交差する方向を向いて溶接等により接合される。引張材５には主に鉄筋や棒鋼が使用されるため、図４では仕切り板４を貫通させて引張材５の端部を後行掘削溝９側へ突出させ、この後行掘削溝９側の部分にナット等の締結具５１を螺合させる等により引張材５を仕切り板４に接続している。
【００３８】
引張材５は先行掘削溝８内に打設されるときのコンクリートの圧力が仕切り板４に作用するときに仕切り板４からの引張力に抵抗し、仕切り板４が後行掘削溝９側へ移動することを阻止する働きをする。このことから、引張材５は主に仕切り板４の先行掘削溝８側に配置（配筋）される関係で、図４では孔６ａが形成された張出部６１のみを持つ付加材６を仕切り板４の先行掘削溝８側の面にのみ接合しているが、後行掘削溝９側の面にも接合することもある。
【００３９】
図４に示す例の場合、付加材６の張出部６１は引張材５の軸方向に沿って配置され、張出部６１の中心線（表面）は仕切り板４の中心線（表面）に直交等、交差した方向を向き、孔６ａの軸線は仕切り板４の中心線と平行な方向を向く。付加材６は仕切り板４への引張材５（補強材）の接続箇所付近を補剛する役目を持つため、引張材５（補強材）に沿うように配置されるが、引張材５とは挙動が異なるため、引張材５とは分離させられる。
【００４０】
図５は先行掘削溝８内と後行掘削溝９内の少なくともいずれか一方に配置され、掘削溝８、９内に打設されるコンクリートを補強する補強材が横筋３である場合の、仕切り板４への付加材６の接合例を示す。先行掘削溝８内に配筋される横筋３は仕切り板４を貫通して後行掘削溝９側へ突出するが、図５では図４の例と同じく仕切り板４の先行掘削溝８側の面に張出部６１のみを持つ付加材６を接合している。この例でも張出部６１の中心線は仕切り板４の中心線に交差した方向を向き、孔６ａの軸線は仕切り板４の中心線の方向を向く。この場合も、付加材６は横筋３（補強材）に沿って配置されるが、引張材５とは分離させられる。
【００４１】
図６は先行掘削溝８内の鉄筋籠１Ａの横筋３が仕切り板４を貫通せず、先行掘削溝８内の鉄筋籠１Ａと後行掘削溝９内の鉄筋籠１Ｂが仕切り板４を挟んで分離している場合の各掘削溝８、９内の配筋例を示す。図６は（ｂ）〜（ｄ）に示すように縦筋２が少なくとも掘削溝８、９内の複数段の横筋３を包囲するように配筋され、せん断補強筋を兼ねている場合の例でもある。この例では鉄筋籠１Ａと鉄筋籠１Ｂの横筋３が仕切り板４を貫通しないため、仕切り板４は横筋３、または縦筋２には結束線や仮設材的に固定される補助材等を介して間接的に支持される。この例では先行連続壁１０と後行連続壁１１はそれぞれの面外方向のせん断力に対し、仕切り板４両面の付着力と付加材６に生じる抵抗力によって抵抗することになるため、付加材６を仕切り板４の両面に接合し、仕切り板４の幅方向に複数枚、配置している。
【００４２】
図７、図８は図１〜図５に示す接合例の付加材６の具体例を示す。図７は付加材６が平板状の張出部６１のみからなり、仕切り板４の片面に突き合わせ溶接された場合、図８は付加材６が張出部６１とその仕切り板４側に連続した基部６３からＬ字断面形状に形成され、基部６３において仕切り板４に溶接かボルトにより接合された場合である。いずれの例でも孔６ａは張出部６１に高さ方向に間隔を置いて形成される。図７、図８の例でも孔６ａが張出部６１の幅方向に１列、配列しているが、複数列、配列することも、千鳥状に配列することもある。
【００４３】
図９は付加材６が仕切り板４の後行掘削溝９側の面に接合されている場合の例を示す。この例では仕切り板４を貫通して後行掘削溝９側へ突出している横筋３に、先行掘削溝８内へのコンクリートの打設完了までの間に付着した汚れを、後行掘削溝９内へのコンクリート打設前に洗浄するための洗浄装置を支持する機能を付加材６に持たせることを想定している。この場合、付加材６は洗浄装置に把持されながら、昇降するための案内材（ガイド）として機能する。洗浄装置が付加材６を把持しながら、昇降時に付加材６から離脱しないよう、この例で使用される付加材６は少なくとも張出部６１と突出部６２の２部分を有する断面形状に形成される。
【００４４】
図１０、図１１は図８に示す接合例の付加材６の具体例として、共に付加材６にＨ形鋼を使用した場合の例を示す。これらの例では付加材６が張出部６１と、仕切り板４から見たときの張出部６１の先端側から張出部６１の厚さ方向両側に連続した突出部６２と、張出部６１の仕切り板４側に、張出部６１の厚さ方向両側に連続した基部６３の３部分を持つ形状をしている。付加材６が張出部６１と突出部６２を持つ場合、基部６３がない場合もある他、突出部６２と基部６３が張出部６１の厚さ方向片側にのみ形成される場合もあり、付加材６はＴ字断面形状、またはＣ字断面形状等の場合もある。
【００４５】
図１０は張出部６１にのみ、孔６ａを１列に形成した場合、図１１は突出部６２にのみ、孔６ａを突出部６２の幅方向に２列、形成した場合の例を示す。図１１に示す例では孔６ａが仕切り板４の中心線から最も遠い突出部６２に形成されることで、孔６ａ内に充填されて形成された柱状のコンクリートに生じるせん断抵抗力の、仕切り板４中心線からの距離が大きくなるため、孔６ａ内の抵抗力が仕切り板４の厚さ方向に作用する曲げモーメントに対する抵抗力としても機能することが期待される。
【符号の説明】
【００４６】
１Ａ……鉄筋籠（先行掘削溝内）、１Ｂ……鉄筋籠（後行掘削溝内）、
２……縦筋、３……横筋、  ４……仕切り板、５……引張材、５１……締結具、
６……付加材、６１……張出部、６２……突出部、６３……基部、６ａ……孔、
７……貫通筋、
８……先行掘削溝、９……後行掘削溝、
１０……先行連続壁、１１……後行連続壁。
【図１】
2020097841.tif 000003
【図２】
2020097841.tif 000004
【図３】
2020097841.tif 000005
【図４】
2020097841.tif 000006
【図５】
2020097841.tif 000007
【図６】
2020097841.tif 000008
【図７】
2020097841.tif 000009
【図８】
2020097841.tif 000010
【図９】
2020097841.tif 000011
【図１０】
2020097841.tif 000012
【図１１】
2020097841.tif 000013
【図１２】
2020097841.tif 000014